(57)【要約】【課題】複数の使い捨ておむつを圧縮して収容した包装体から使い捨ておむつを取り出す際に、使い捨ておむつが飛び出して邪魔になったり、荷崩れしたり、散乱したりすることがないようにする。【解決手段】包装体１０内部に圧縮した使い捨ておむつ２０を重ねて収容した包装物品であって、前記使い捨ておむつ２０は帯状の伸縮性バンド２２によりその下半部が束ねられて圧縮されている。使い捨ておむつ２０の取り出しは、前記包装体１０の側方パネル１４のうち、前記使い捨ておむつの圧縮方向にあるパネル１４ａに形成された切断線に沿って前記パネル１４ａを切断することで、前記使い捨ておむつ２０の取出口３０を形成する。【選択図】          図１
2006256654.tif 000002
【特許請求の範囲】
【請求項１】
包装体内部に圧縮した物品を重ねて収容した包装物品であって、
前記物品は伸縮部材により束ねられて圧縮されており、
前記包装体を構成する前記物品の圧縮方向にあるパネルは、前記物品取出口を形成するためその一部が分離可能な領域として形成されていることを特徴とする包装物品。
【請求項２】
請求項１に記載された包装物品において、
前記伸縮部材は帯状をなし、かつ前記物品の下半部を束ねるよう環状をなしていることを特徴とする包装物品。
【請求項３】
請求項１又は２に記載された包装物品において、
前記包装体は可撓性材料で構成されていると共に、前記物品取出口は、前記物品を束ねる伸縮部材より上側に形成されるよう、前記分離可能領域を設けたことを特徴とする包装物品。
【請求項４】
請求項１ないし３のいずれかに記載された包装物品において、
前記伸縮部材を前記包装体の前記開口の近傍に取り付けたことを特徴とする包装物品。
【請求項５】
請求項１ないし４のいずれかに記載された包装物品において、
前記物品は使い捨て吸収性物品であることを特徴とする包装物品。
【発明の詳細な説明】
【技術分野】
【０００１】
本発明は、圧縮して束ねた物品を包装体で包装した包装物品に関するものである。
【背景技術】
【０００２】
圧縮可能な物品、例えば、使い捨ておむつ、生理用パッド、失禁ブリーフなどの吸収性物品等は一般的に複数個をまとめて一つの包装体内に収容した状態で出荷され販売されている。
ところで、これらの製品は肌に直接当たる等の理由から柔軟に形成されており、従って圧縮可能であるが実際には圧縮されていないか、若しくは弱圧状態で複数枚まとめて包装または収容されていた。そのため、倉庫に保管する場合だけではなく、運送、販売や家庭で使用する場合でもスペースを要し、コストのみではなく取り扱いが不便であった。
【０００３】
そこで、これらの使い捨ておむつ、生理用パッド、失禁用ブリーフなどの比較的柔軟な物品を圧縮して多数収容する可撓性の袋が提案されている。
この可撓性の袋は、前方パネル、側方パネル、底部パネル、頂部パネルおよび支持ハンドルで構成し、複数の物品をその厚さを圧縮して充填した状態で膨らんだ略角形（直方体または立方体状）になるように、その圧縮力を前方及び側方パネルで支える構成にすると共に、側方パネルにはミシン目を設けて、このミシン目を切り開いて取出口を形成するようになっている。
この構成において、ミシン目を切り開くと、内蔵された圧縮物品の圧縮が一部解放されるため、物品が扇を開くようにその上半部が前記取出口から飛び出す仕掛けになっており、使用時には、このように飛び出した物品を一枚ずつ取り出して使用する（特許文献１）。
【０００４】
この従来の可撓性の袋を用いた場合、物品を圧縮して収容できるから圧縮しないで収容する場合に比してスペースが節約できるなどのメリットはある。
しかしながら、ミシン目を切り開くと同時に物品がその圧縮圧力により外方に扇状に飛び出して邪魔になるばかりではなく、全体が型くずれしたように見えるから見栄えもよくない。また、飛び出した状態では崩れ易く、物品取り出し中或いは誤って落下するなどすると物品が散乱する虞がある。
【特許文献１】特許第３００９４０６号公報
【発明の開示】
【発明が解決しようとする課題】
【０００５】
本発明は、従来の物品収納用可撓性袋の前記問題に鑑みてなされたものであって、その目的は、スペースを節約できるだけではなく、その包装体のパネルの一部を切り開いても取出口から物品が飛び出すことがなく、型崩れせず見栄えがよく、かつ取り出し時等に物品が散乱する虞がないようすることである。
【課題を解決するための手段】
【０００６】
本発明は、包装体内部に圧縮した物品を重ねて収容した包装物品であって、底部パネルと、底部パネルに接続された側面を構成するパネルと、該側面を構成するパネルの上端部に一体に形成された上部パネルとからなり、前記物品は伸縮部材により束ねられて圧縮されており、前記側面を構成する前記物品の圧縮方向にあるパネルには、前記物品取出口を形成するためその一部が分離可能な領域として形成されていることを特徴とする。
（作用）
複数枚の物品を圧縮状態で伸縮部材で束ねて包装体に収容して包装物品とする。この包装物品を構成する包装体の前記圧縮方向にあるパネルの一方に設けた切断線に沿って、前記パネルを切断して物品取り出し用の開口を形成する。この取出口から物品を一枚ずつ取り出して使用する。
【発明の効果】
【０００７】
本発明によれば、複数の物品を圧縮収納できると共にその圧縮力は基本的には物品を束ねる伸縮部材が支えるから、前記側部パネルには圧縮した物品の圧縮力は作用していないか、作用するとしても軽微である。そのため包装体の前記圧縮方向にあるパネルに物品取出口となる開口を明けても、従来のように圧縮から解放された物品が開口から扇状に拡がって上部が包装体から飛び出すことはなく、従って包装物品の形状が損なわれたり邪魔になったり、或いは物品が散乱したりする虞はない。
さらに、側部パネルには圧縮した物品からの押圧力が作用することはない。また、押圧力が作用するとしても軽微であるため、包装材料強度を弱くすることができ、従来より薄い包装材料を使用する等のコスト削減が可能である。
【発明を実施するための最良の形態】
【０００８】
本発明の実施形態に係る包装物品を図面を参照して説明する。
図１は、本実施形態に係る包装物品の斜視図である。
図示のように、本包装物品は、物品、例えば使い捨ておむつ２０と、この使い捨ておむつ２０を収容するための包装体１０とから成っている。
【０００９】
使い捨ておむつ２０は、複数個を横に並べた状態で圧縮され、好ましくは、並べられたおむつ２０の下半分に図２に示す伸縮性のバンド２２を掛け渡して一体に束ねられている。この伸縮性バンド２２は、それ自体伸縮性を備えた材料又は伸縮材料を内蔵した帯状の材料でできている。また、伸縮性バンド２２は、使い捨ておむつの下半分に掛け渡されており、それによって、取出口を形成したとき伸縮性バンド２２がその開口部分に露出しないようにしている。また、おむつ２０を上へ引き抜き易くしている。
【００１０】
本実施形態に係る包装体１０は、図示のように略矩形の底パネル１２と、この底パネル１２の四辺にそれぞれ一体に接合され側面パネル１４と、側面パネル１４の上端に一体に形成された矩形の上部パネル１６及び上部パネル１６に一体に形成された垂直な矩形状部分に形成された開口１８ａを備えた取手１８を有している。
【００１１】
側面パネル１４の使い捨ておむつ２０の圧縮方向にある一方の側面パネル１４ａには、使い捨ておむつ２０を取り出すための取出口３０を形成するためのミシン目３２が形成されており、側面パネル１４ａを引き裂くことで取出口となる開口３０が出現する。この取出口３０の大きさ（面積）は前記側面パネル１４ａの面積の６０％以上となるようミシン目３２が設定されている。比較的柔軟な使い捨ておむつ２０を包装体１０から取り出す場合は、使い捨ておむつ２０を折り畳んだ状態の側面の６０％以上の開口面積があると取出しを容易に行うことができ、好ましくは８０％以上あればよい。
【００１２】
取出口３０を形成するときは、まず、最初に上段に収納された使い捨ておむつ３０を取り出すため、その使い捨ておむつ３０を前記伸縮性バンド２２のところまで、即ち、前記伸縮性バンド２２が露出しないところまで、側面パネル１４ａのミシン目３２を引き裂き、次に、上段の使い捨ておむつ２０を出し終わったところで、側面パネル１４ａのミシン目３２を下段の使い捨ておむつ２０の前記伸縮性バンド２２が露出しないところまで、側面パネル１４ａのミシン目３２を引き裂く。
【００１３】
なお、本実施形態では、前記ミシン目３２は上部パネル１６には達しておらず、前記取出口３０は前記側面パネルの領域内に限定されているが、必要に応じて上部パネル１６の領域まで延在させて、上部パネル１６の一部を含めた取出口を形成することもできる。
【００１４】
図３は前記取出口３０の別の形状を示す。
この実施形態においては、取出口３０は上下２段に収納された使い捨ておむつ３０の位置に合わせて前記側面パネル１４ａに上下に２箇所別々に設けられている。ここでは、取出口２０は、湾曲した上部と矩形の下部とからなる形状であり、その上端部は上部パネル１６にまで達していない。
このような取出口３０の形状にすると使い捨ておむつの上部が取出口３０から露出することがないため、第１の実施形態ものよりも取り出し難いが、上段の使い捨ておむつ２０の取出口３０を誤って大きく明けすぎるようなことは起こり得ない。
【００１５】
以上の実施形態によれば、使い捨ておむつ１０は伸縮バンドにより圧縮状態で拘束されているため、従来のように拘束が外れて外に飛び出し邪魔になったり、型くずれしたり、更には散乱したりする虞がない。
また、使い捨ておむつ２０は伸縮バンド２２で束ねられているため、包装体自体を必ずしも伸縮性のもので構成する必要はなく、取出口３０から使い捨ておむつ２０を取り出す毎に残りの使い捨ておむつ２０は、伸縮バンド２２の収縮力で取出口２０の方向に押し出される。とくに伸縮バンド２２の伸縮性を強くすることで、従来のように袋自体に伸縮性を持たせたものよりも使い捨ておむつ２０の取出口３０への送り力を強めることができる。そのため、より多くの使い捨ておむつ２０を整列状態を保ちつつ確実に取出口３０まで送付できる。
【００１６】
なお、伸縮バンド２２の一端を前記取出口３０の近傍に止着しておくことにより、使い捨ておむつは、前記伸縮バンド２２により確実に取出口の方向に押し出される。使用者は取出口３０から使い捨ておむつ２０を上方に引き出して取り出し一枚ずつ使用する。
【００１７】
図４は、使い捨ておむつ２０を包装体１０に収納するまでの過程を説明する図である。
使い捨ておむつ２０は、適宜折り畳んで複数枚重ね合わせて圧縮し、伸縮バンド２２で束ねる。その状態で包装体１０中に収納するから、包装体への挿入を簡単に行うことができる。
なお、以上の説明では、物品を使い捨ておむつに例を採って説明したが、圧縮可能な物品であればこれに限らず、例えば、生理用パッドその他の柔軟な伸縮性物品でもよいことは勿論である。
【図面の簡単な説明】
【００１８】
【図１】本発明の実施形態に係る包装物品の斜視図である。
【図２】伸縮性バンドの斜視図である。
【図３】本発明の別の実施形態に係る包装物品の斜視図である。
【図４】使い捨ておむつを袋に挿入するまでの工程を示す図である。
【符号の説明】
【００１９】
１０・・・包装体、１２・・・底部パネル、１４・・・側方パネル、１６・・・上部パネル、１８・・・取手、２０・・・使い捨ておむつ、２２・・・伸縮バンド、３０・・・・取出口。
【図１】
2006256654.tif 000003
【図２】
2006256654.tif 000004
【図３】
2006256654.tif 000005
【図４】
2006256654.tif 000006